(57)【要約】【課題】異常報知手段の動作の一時停止やその解除を自動的に行うことができる、寝床上の被験者の情報検出システムを提供する。【解決手段】システム１は、寝床２１上の被験者３０の状態に関する情報を検出する情報検出手段２と、情報検出手段２により検出された検出情報に基づいて被験者３０の状態が異常状態であるか否かを判定する判定手段６と、判定手段６により被験者３０の状態が異常状態であると判定された場合、その旨の情報を報知する異常報知手段１０と、被験者３０に対する介護従事者３１又は医療従事者に携帯される被検知体１５と、被検知体１５が所定の検知領域内にある場合に被検知体１５を検知する検知手段８と、検知手段８の検知結果に基づいて異常報知手段１０の動作を一時停止させる一時停止手段９と、を備えている。【選択図】図２
2010148700.tif 000002
【特許請求の範囲】
【請求項１】
寝床上の被験者の状態に関する情報を検出する情報検出手段と、
情報検出手段により検出された検出情報に基づいて被験者の状態が異常状態であるか否かを判定する判定手段と、
判定手段により被験者の状態が異常状態であると判定された場合、その旨の情報を報知する異常報知手段と、
被験者に対する介護従事者又は医療従事者に携帯される被検知体と、
被検知体が所定の検知領域内にある場合に被検知体を検知する検知手段と、
検知手段の検知結果に基づいて異常報知手段の動作を一時停止させる一時停止手段と、
を備えていることを特徴とする、寝床上の被験者の情報検出システム。
【請求項２】
一時停止手段は、検知手段が被検知体を検知した場合に、異常報知手段の動作を一時停止させるものである請求項１記載の寝床上の被験者の情報検出システム。
【請求項３】
一時停止手段は、検知手段が被検知体を検知しなくなった場合に、一時停止が解除されるものとなされている請求項２記載の寝床上の被験者の情報検出システム。
【請求項４】
寝床上の被験者の状態に関する情報を検出する情報検出手段と、
情報検出手段により検出された検出情報に基づいて被験者の状態が異常状態であるか否かを判定する判定手段と、
判定手段により被験者の状態が異常状態であると判定された場合、その旨の情報を報知する異常報知手段と、
被験者に対する介護従事者又は医療従事者に携帯される被検知体と、
被検知体が所定の検知領域内にある場合に被検知体を検知する検知手段と、
異常報知手段の動作を一時停止させる一時停止手段と、
を備え、
一時停止手段は、検知手段の検知結果に基づいて異常報知手段の動作の一時停止が解除されるものとなされていることを特徴とする、寝床上の被験者の情報検出システム。
【請求項５】
一時停止手段は、検知手段が被検知体を検知しない場合に、一時停止が解除されるものとなされている請求項４記載の寝床上の被験者の情報検出システム。
【請求項６】
検知手段は、寝床を含むその周囲に被検知体がある場合に被検知体を検知するものである請求項１〜５のいずれかに記載の寝床上の被験者の情報検出システム。
【請求項７】
被検知体は、無線ＩＣタグからなる請求項１〜６のいずれかに記載の寝床上の被験者の情報検出システム。
【請求項８】
寝床上の被験者の状態に関する情報を検出する情報検出工程と、
情報検出工程で検出された検出情報に基づいて被験者の状態が異常状態であるか否かを判定する判定工程と、
判定工程で被験者の状態が異常状態であると判定された場合、その旨の情報を異常報知手段により報知する異常報知工程と、
被験者に対する介護従事者又は医療従事者に携帯される被検知体が所定の検知領域内にある場合に被検知体を検知手段により検知する検知工程と、
検知手段の検知結果に基づいて異常報知手段の動作を一時停止させる一時停止工程と、
を備えていることを特徴とする、寝床上の被験者の情報検出方法。
【請求項９】
一時停止工程は、検知手段が被検知体を検知した場合に、異常報知手段の動作を一時停止させる請求項８記載の寝床上の被験者の情報検出方法。
【請求項１０】
一時停止工程の後で、検知手段が被検知体を検知しなくなった場合に、異常報知手段の動作の一時停止を解除する一時停止解除工程を備えている請求項９記載の寝床上の被験者の情報検出方法。
【請求項１１】
寝床上の被験者の状態に関する情報を検出する情報検出工程と、
情報検出工程で検出された検出情報に基づいて被験者の状態が異常状態であるか否かを判定する判定工程と、
判定工程で被験者の状態が異常状態であると判定された場合、その旨の情報を異常報知手段により報知する異常報知工程と、
被験者に対する介護従事者又は医療従事者に携帯される被検知体が所定の検知領域内にある場合に被検知体を検知手段により検知する検知工程と、
異常報知手段の動作を一時停止させる一時停止工程と、
一時停止工程の後で、検知手段の検知結果に基づいて異常報知手段の動作の一時停止を解除する一時停止解除工程と、
を備えていることを特徴とする、寝床上の被験者の情報検出方法。
【請求項１２】
一時停止解除工程は、検知手段が被検知体を検知しない場合に、一時停止を解除する請求項１１記載の寝床上の被験者の情報検出方法。
【請求項１３】
検知工程は、寝床を含むその周囲に被検知体がある場合に検知手段により被検知体を検知する請求項８〜１２のいずれかに記載の寝床上の被験者の情報検出方法。
【発明の詳細な説明】
【技術分野】
【０００１】
本発明は、寝床（例：ベッド寝床部）上の被験者の状態に関する情報を検出するシステム、及び該情報を検出する方法に関する。
【背景技術】
【０００２】
ベッドの寝床部上の被験者（病人、被介護者、乳幼児、健康人等）の生体情報や在床状態を検出する装置として、例えば特開２００５−７４０１２号公報に開示された装置が知られている（特許文献１参照）。この装置は、ベッド寝床部のマット内に封入された流体の移動をセンサ（情報検出手段）により検出した検出結果に基づいて、被験者の生体情報として無呼吸状態情報を測定するように構成されている。
【０００３】
また、この種の装置として、その他に、ベッド寝床部上における被験者の下側に配置したパネル型センサ（情報検出手段）により検出した検出結果に基づいて、被験者の生体情報や在床状況を検出する装置が知られている（例えば、特許文献２〜４参照）。
【０００４】
さらに、この種の装置として、ベッドの脚部とベッド設置面との間に配置される１個又は複数個の荷重検出器（情報検出手段）により検出した検出結果に基づいて、被験者の在床状況を検出する装置が知られている（例えば、特許文献５〜７参照）。
【０００５】
このような装置は、一般に、センサの検出情報に基づいて被験者の状態が異常状態であると判定された場合に、被験者の状態が異常状態であることを介護者や看護師等に対して警報音で報知する異常報知手段を備えている。
【０００６】
このような装置においては、ベッド寝床部上の被験者に対して介護者や看護師等が介助等の所定の処置を行う際には、一般に、その処置を行う前に、警報音が発せられないようにするため介護者や看護師等が異常報知手段の動作を停止させ、その後で処置が行われている。
【特許文献１】特開２００５−７４０１２号公報
【特許文献２】特開２００８−１７８７３８号公報
【特許文献３】特開２００７−１７５１４８号公報
【特許文献４】特開２００６−０４３４４５号公報
【特許文献５】特開２００８−２６４３３８号公報
【特許文献６】特開２００７−３３０６５８号公報
【特許文献７】特開２００６−３０５３４３号公報
【発明の開示】
【発明が解決しようとする課題】
【０００７】
しかしながら、介護者や看護師等が忙しいために異常報知手段の動作を停止させるのを忘れた場合には、介護者や看護師等による介助動作等によって警報音が発せられてしまう。
【０００８】
さらに、処置を行う前に介護者や看護師等が異常報知手段の動作を停止させてはいたが、処置が終了した後で介護者や看護師等が異常報知手段の動作を再開させるのを忘れた場合には、異常報知手段が動作しないので、被験者の状態が異常状態となった場合に警報音が発せられないことになる。
【０００９】
ここで、被験者は通常、介助等を必要とする者であるから、被験者が自ら異常報知手段の動作を停止させる操作を行うことは困難であるし、また寝床上の被験者の状態に関する情報を検出するというこのシステムの目的上、好ましくない。
【００１０】
本発明は、上述した技術背景に鑑みてなされたもので、その目的は、異常報知手段の動作の一時停止又はその解除を自動的に行うことができる、寝床上の被験者の情報検出システム及び寝床上の被験者の情報検出方法を提供することにある。
【課題を解決するための手段】
【００１１】
本発明は以下の手段を提供する。
【００１２】
［１］  寝床上の被験者の状態に関する情報を検出する情報検出手段と、
情報検出手段により検出された検出情報に基づいて被験者の状態が異常状態であるか否かを判定する判定手段と、
判定手段により被験者の状態が異常状態であると判定された場合、その旨の情報を報知する異常報知手段と、
被験者に対する介護従事者又は医療従事者に携帯される被検知体と、
被検知体が所定の検知領域内にある場合に被検知体を検知する検知手段と、
検知手段の検知結果に基づいて異常報知手段の動作を一時停止させる一時停止手段と、
を備えていることを特徴とする、寝床上の被験者の情報検出システム。
【００１３】
［２］  一時停止手段は、検知手段が被検知体を検知した場合に、異常報知手段の動作を一時停止させるものである前項１記載の寝床上の被験者の情報検出システム。
【００１４】
［３］  一時停止手段は、検知手段が被検知体を検知しなくなった場合に、一時停止が解除されるものとなされている前項２記載の寝床上の被験者の情報検出システム。
【００１５】
［４］  寝床上の被験者の状態に関する情報を検出する情報検出手段と、
情報検出手段により検出された検出情報に基づいて被験者の状態が異常状態であるか否かを判定する判定手段と、
判定手段により被験者の状態が異常状態であると判定された場合、その旨の情報を報知する異常報知手段と、
被験者に対する介護従事者又は医療従事者に携帯される被検知体と、
被検知体が所定の検知領域内にある場合に被検知体を検知する検知手段と、
異常報知手段の動作を一時停止させる一時停止手段と、
を備え、
一時停止手段は、検知手段の検知結果に基づいて異常報知手段の動作の一時停止が解除されるものとなされていることを特徴とする、寝床上の被験者の情報検出システム。
【００１６】
［５］  一時停止手段は、検知手段が被検知体を検知しない場合に、一時停止が解除されるものとなされている前項４記載の寝床上の被験者の情報検出システム。
【００１７】
［６］  検知手段は、寝床を含むその周囲に被検知体がある場合に被検知体を検知するものである前項１〜５のいずれかに記載の寝床上の被験者の情報検出システム。
【００１８】
［７］  被検知体は、無線ＩＣタグからなる前項１〜６のいずれかに記載の寝床上の被験者の情報検出システム。
【００１９】
［８］  寝床上の被験者の状態に関する情報を検出する情報検出工程と、
情報検出工程で検出された検出情報に基づいて被験者の状態が異常状態であるか否かを判定する判定工程と、
判定工程で被験者の状態が異常状態であると判定された場合、その旨の情報を異常報知手段により報知する異常報知工程と、
被験者に対する介護従事者又は医療従事者に携帯される被検知体が所定の検知領域内にある場合に被検知体を検知手段により検知する検知工程と、
検知手段の検知結果に基づいて異常報知手段の動作を一時停止させる一時停止工程と、
を備えていることを特徴とする、寝床上の被験者の情報検出方法。
【００２０】
［９］  一時停止工程は、検知手段が被検知体を検知した場合に、異常報知手段の動作を一時停止させる前項８記載の寝床上の被験者の情報検出方法。
【００２１】
［１０］  一時停止工程の後で、検知手段が被検知体を検知しなくなった場合に、異常報知手段の動作の一時停止を解除する一時停止解除工程を備えている前項９記載の寝床上の被験者の情報検出方法。
【００２２】
［１１］  寝床上の被験者の状態に関する情報を検出する情報検出工程と、
情報検出工程で検出された検出情報に基づいて被験者の状態が異常状態であるか否かを判定する判定工程と、
判定工程で被験者の状態が異常状態であると判定された場合、その旨の情報を異常報知手段により報知する異常報知工程と、
被験者に対する介護従事者又は医療従事者に携帯される被検知体が所定の検知領域内にある場合に被検知体を検知手段により検知する検知工程と、
異常報知手段の動作を一時停止させる一時停止工程と、
一時停止工程の後で、検知手段の検知結果に基づいて異常報知手段の動作の一時停止を解除する一時停止解除工程と、
を備えていることを特徴とする、寝床上の被験者の情報検出方法。
【００２３】
［１２］  一時停止解除工程は、検知手段が被検知体を検知しない場合に、一時停止を解除する前項１１記載の寝床上の被験者の情報検出方法。
【００２４】
［１３］
検知工程は、寝床を含むその周囲に被検知体がある場合に検知手段により被検知体を検知する前項８〜１２のいずれかに記載の寝床上の被験者の情報検出方法。
【発明の効果】
【００２５】
本発明は以下の効果を奏する。
【００２６】
［１］の発明では、システムは、被験者に対する介護従事者又は医療従事者に携帯される被検知体と、被検知体が所定の検知領域内にある場合に被検知体を検知する検知手段と、検知手段の検知結果に基づいて異常報知手段の動作を一時停止させる一時停止手段とを備えているので、介護従事者や医療従事者の行動に応じて異常報知手段の動作を自動的に一時停止することができる。
【００２７】
［２］の発明では、一時停止手段は、検知手段が被検知体を検知した場合に、異常報知手段の動作を一時停止させるものであるから、異常報知手段の動作を確実に一時停止することができる。
【００２８】
［３］の発明では、一時停止手段は、検知手段が被検知体を検知しなくなった場合に、一時停止が解除されるものとなされているので、異常報知手段の動作の一時停止を確実に解除することができる。
【００２９】
［４］の発明では、システムは、被験者に対する介護者従事者又は医療従事者に携帯される被検知体と、被検知体が所定の検知領域内にある場合に被検知体を検知する検知手段と、異常報知手段の動作を一時停止させる一時停止手段と、を備えており、一時停止手段は、検知手段の検知結果に基づいて異常報知手段の動作の一時停止が解除されるものとなされている。したがって、介護従事者や医療従事者の行動に応じて異常報知手段の動作の一時停止を自動的に解除することができる。
【００３０】
［５］の発明では、一時停止手段は、検知手段が被検知体を検知しない場合に、一時停止が解除されるものとなされているので、異常報知手段の動作の一時停止を確実に解除することができる。
【００３１】
［６］の発明では、検知手段は、寝床を含むその周囲に被検知体がある場合に被検知体を検知するものである。したがって、上記［１］〜［３］の発明では、被検知体を携帯した介護従事者や医療従事者が寝床を含むその周囲にいる場合に、異常報知手段の動作を確実に一時停止させることができる。また、上記［４］〜［６］の発明では、被検知体を携帯した介護従事者や医療従事者が寝床を含むその周囲にいない場合に、異常報知手段の動作の一時停止を確実に解除することができる。
【００３２】
［７］の発明では、被検知体は無線ＩＣタグからなるので、被検知体を検知手段により確実に検出することができるし、被検知体を安価に入手できる。
【００３３】
［８］〜［１３］の発明では、それぞれ上記［１］〜［６］の発明の効果と同様の効果を奏する。
【発明を実施するための最良の形態】
【００３４】
次に、本発明の一実施形態について図面を参照して以下に説明する。
【００３５】
図１及び２に示すように、本実施形態に係る寝床上の被験者の情報検出システム１は、ベッド２０の寝床部２１上の被験者３０の状態に関する情報を検出するものであり、例えば、ナースコール装置１７に一体的に組み込まれたものである。本実施形態では、ベッド２０の寝床部２１が、本発明に係るシステムの寝床に対応する。
【００３６】
ベッド２０は、医療施設（例：病院）、高齢者施設、介護施設、宿泊施設（例：ホテル）、一般家庭等で使用されるものであり、病室、検査室、診察室、客室、寝室等における床面からなるベッド設置面２４上に設置されている。
【００３７】
このベッド２０は、その寝床部２１を所定高さに水平状に支持する４個の脚部２２、２２、２２、２２、即ち頭側右脚部２２、頭側左脚部２２、足側右脚部２２及び足側左脚部２２を有している。さらに、各脚部２２の下端部には、回転自在なベッド移動用キャスタ２３が一体的に設けられている。なお本発明では、各脚部２２の下端部にキャスタ２３は必ずしも設けられていなくても良い。
【００３８】
このベッド２０の寝床部２１上には、被験者３０として、病人、認知症患者、高齢者、健康人、乳幼児、宿泊客等の人が、就寝、診察、検査等のために仰臥姿勢（仰向け姿勢）等で横たわる。
【００３９】
本実施形態のシステム１は、ベッド寝床部２１上における被験者３０の在床状態等を、被験者３０の状態に関する情報として検出するものである。在床状態とは、例えば、被験者３０がベッド寝床部２１上に在床しているとか、被験者３０が上体を持ち上げた（即ち被験者３０の背上げ動作）とか、ベッド寝床部２１上における被験者３０の位置（即ち、ベッド寝床部２１の重心位置）とか、被験者３０のベッド寝床部２１からの離床準備とか、被験者３０のベッド寝床部２１からの離床とかである。
【００４０】
なお本発明では、システム１は、その他に、ベッド寝床部２１上における被験者３０の生体情報等を、被験者３０の状態に関する情報として検出するものであっても良い。なお、生体情報とは、被験者３０の主に就寝中の呼吸情報、脈拍情報、体動情報（例：寝返り頻度）等である。
【００４１】
このシステム１は、１個又は複数個の荷重検出手段３、コントローラ４、異常報知手段１０、被検知体１５などを備えている。
【００４２】
荷重検出手段３の個数は本実施形態では４個である。４個の荷重検出手段３、３、３、３は、ベッド寝床部２１の互いに離間した４つの部位に掛かる荷重を検出するものであり、具体的には、図１に示すように、ベッド寝床部２１の４個の脚部２２、２２、２２、２２に掛かる荷重を検出するものである。そして、各脚部２２とベッド設置面２４との間にそれぞれ荷重検出手段３が１個ずつ配置されている。ここで、説明の便宜上、４個の荷重検出手段３をそれぞれ第１〜第４荷重検出手段３という。
【００４３】
各荷重検出手段３は、基本的にはロードセルからなるものであり、ベッド寝床部２１の各脚部２２に掛かる荷重を検出してその検出結果（即ち検出荷重）を各荷重検出手段３に備えられた通信手段（図示せず）によりコントローラ４に送信するものである。通信手段は本実施形態では無線通信手段である。なお本発明では、通信手段はその他に有線通信手段であっても良い。
【００４４】
コントローラ４は、図３に示すように、演算手段５、判定手段６、記憶手段７、検知手段８、一時停止手段９などを備えている。これらの手段は、同一のコントローラボックス内に配置されている。
【００４５】
このコントローラ４（コントローラボックス）は、図１及び２に示すように、ベッド寝床部２１やその近傍に配置されており、詳述すると、ベッド寝床部２１に配置されている。更に詳述すると、本実施形態では、このコントローラ４は、ナースコール装置１７における呼出要求を受け付ける呼出端末１８に一体的に設けられている。
【００４６】
ナースコール装置１７は、被験者３０に対して介助行為、看護行為、医療行為等を行う介護従事者３１（例：介護士、被験者３０の家族、親類）と医療従事者（例：看護師、医者）とのうち少なくとも一方を呼び出すものである。そのため、コントローラ４には介護従事者３１や医療従事者を呼び出すための押しボタン式の呼出スイッチ１８ａが設けられている。
【００４７】
演算手段５は、ＣＰＵ等を有するコンピュータからなるものであり、４個の荷重検出手段３、３、３、３の検出結果（検出荷重）に基づいて被験者３０の状態に関する情報などを演算するものである。したがって、本実施形態では、ベッド寝床部２１上の被験者３０の状態に関する情報を検出する情報検出手段２は、４個の荷重検出手段３、３、３、３と演算手段５とを備えたものである。
【００４８】
この演算手段５は、具体的には、４個の荷重検出手段３、３、３、３から送信されてきた検出荷重に基づいて、被験者３０の体重、ベッド寝床部２１の重心位置、その重心位置の変動量、被験者３０の背上げ動作、被験者３０の端座位状態、離床準備、離床、被験者３０のベッド寝床部２１からの転落予知、転落などを演算（判定）するものである。
【００４９】
すなわち、この演算手段５では、例えば、被験者３０の背上げ動作は、ベッド寝床部２１の重心位置がベッド寝床部２１の頭部側から足側に移動したときに重心位置の単位時間当たりの移動量（即ち重心位置の移動速度）が所定の閾値以上である場合、被験者３０が上体を起こしたとして判定される。また、被験者３０の端座位状態は、例えば、ベッド寝床部２１の重心位置がベッド寝床部２１の端部である場合や、更に、風袋引き処理後の４個の検出荷重の総荷重が被験者３０がベッド寝床部２１の中央部に位置しているときの総荷重よりも小さく且つ所定の閾値以下である場合、被験者３０がベッド寝床部２１の端部に座っていると判定される。また、離床準備は、例えば、被験者３０の背上げ動作と被験者３０の端座位状態とのうち少なくとも一つを満たしている場合に、被験者３０が離床準備をしていると判定される。被験者３０のベッド寝床部２１からの転落予知は、例えば、ベッド寝床部２１の重心位置がベッド寝床部２１の端部であるとき、被験者３０のベッド寝床部２１からの転落を予知したと判定される。離床及び転落は、例えば、風袋引き処理後の総荷重が０に近い所定の閾値以下である場合に、被験者３０が離床した又は被験者３０がベッド寝床部２１から転落したと判定される。
【００５０】
判定手段６は、演算手段５の演算結果（判定結果）に基づいて被験者３０の状態が所定の正常状態であるか、あるいは該正常状態から外れた状態（これを異常状態という）であるかを判定するものである。具体的に例示すると、この判定手段６は、演算手段５の演算結果が離床準備と離床と転落予知と転落とのうち少なくとも一つである場合に、被験者３０の状態が異常状態であると判定し、一方、演算手段５の演算結果が離床準備と離床と転落予知と転落とのいずれでもない場合に、被験者３０の状態が正常状態であると判定するものである。そして、この判定手段６は、被験者３０の状態が異常状態であると判定された場合には、その旨の情報、即ち異常情報を異常報知手段１０に送信するものとなされている。異常情報とは、被験者３０の離床準備情報と離床情報と転落予知情報と転落情報とのうち少なくとも一つである。
【００５１】
記憶手段７は、演算手段５の演算結果、閾値、判定手段６の判定結果、システム１の動作に必要なプログラム等を記憶するものであり、ＲＡＭ、ＲＯＭ、ＳＤ（ＳＤＨＣを含む）メモリカード等からなる。
【００５２】
検知手段８は、被検知体１５が所定の検知領域内にある場合に被検知体１５を検知するものである。所定の検知領域とは、本実施形体では、ベッド寝床部２１を含むその周囲、即ちベッド寝床部２１とその周囲とからなる領域であり、詳述すると、検知手段８を中心としたその周囲近傍であり、具体的には、検知手段８を中心に所定の領域（例えば０．５〜３ｍ離れた領域）の内側が、検知手段８が被検知体１５を検知可能な領域（検知領域）、すなわち検知手段８と被検知体１５との通信可能距離となされている。なお本実施形態では、検知手段８は、上述したようにコントローラ４内に配置されており、すなわちベッド寝床部２１やその近傍に配置されており、詳述するとベッド寝床部２１に配置されている。
【００５３】
被検知体１５は無線ＩＣタグからなるものである。検知手段８は、この無線ＩＣタグからなる被検知体１５を検知するリーダライターからなるものである。なお、被検知体１５の構成については後述する。
【００５４】
一時停止手段９は、異常報知手段１０の動作を一時停止させるものであり、判定手段６から異常報知手段１０への異常情報の送信を一時的に不許可にする押しボタン式の一時停止スイッチ９ａを有している。すなわち、一時停止手段９は、一時停止スイッチ９ａがＯＦＦの場合には、判定手段６から異常報知手段１０への異常情報の送信が許可され、異常報知手段１０の動作が許容されるものとなされており、一方、一時停止スイッチ９ａがＯＮの場合には、判定手段６から異常報知手段１０への異常情報の送信が不許可になり、異常報知手段１０は動作しないものとなされている。この一時停止スイッチ９ａはコントローラ４に設けられている。
【００５５】
さらに、この一時停止手段９は、詳述すると、検知手段８の検知結果に基づいて異常報知手段１０の動作を自動的に一時停止させたり、検知手段８の検知結果に基づいて異常報知手段１０の動作の一時停止が自動的に解除されたりするものとなされている。すなわち、一時停止手段９は、検知手段８が被検知体１５を検知した場合に、一時停止スイッチ９ａが自動的にＯＮになって異常報知手段１０の動作を一時停止させ、その後、検知手段８が被検知体１５を検知しなくなった場合に、一時停止スイッチ９ａが自動的にＯＦＦになって一時停止が解除されるように構成されている。
【００５６】
さらに、一時停止スイッチ９ａは、手動でもＯＮとＯＦＦのいずれかを選択することができるように構成されている。
【００５７】
異常報知手段１０は、判定手段６により被験者３０の状態が異常状態であると判定されて判定手段６から異常情報が異常報知手段１０に送信されてきた場合に、異常情報を報知対象者としての介護従事者３１や医療従事者等に対して音、光、文字等で報知するものである。
【００５８】
この異常報知手段１０は、報知スピーカ、報知ランプ、表示部等を有している。報知スピーカは、警報音や音声等で異常情報を報知するものである。報知ランプは、ランプの点灯や点滅等で異常情報を報知するものである。表示部は、文字や図面の表示等で異常情報を報知するものであり、液晶ディスプレイ、有機ＥＬディスプレイ、ＣＲＴ等で構成されている。
【００５９】
この異常報知手段１０は、介護従事者や医療従事者の詰め所（例：ナースステーション）に設置されたり、携帯電話機（ＰＨＳを含む、以下同じ）に搭載されるものである。本実施形態では、この異常報知手段１０は、ナースコール装置１７における呼出要求の発生を報知する報知端末１９の親機と子機とのうち少なくとも一方に一体的に設けられている。１１は、判定手段６から異常報知手段１０に異常情報を送信する信号線である。本実施形態は、判定手段６から異常報知手段１０への異常情報の送信は有線通信で行われているが、本発明では、その他に無線通信で行われても良い。
【００６０】
被検知体１５は、上述したように無線ＩＣタグからなるものであり、その形状はカード型、ラベル型、コイン型、スティック型等である。無線ＩＣタグは、電源を内蔵するアクティブタイプ（能動型）のものであっても良いし、電源を内蔵しないパッシブタイプ（受動型）のものであっても良い。
【００６１】
さらに、この被検知体１５は、ベッド寝床部２１に対して接近したり離れたりする人として、被験者３０に対する介護従事者３１及び医療従事者のうち少なくとも一方に携帯されるものである。具体的には、被検知体１５は、例えば、介護従事者３１や医療従事者の着衣に付けられたり（図１及び２参照）、身体の一部（例：腕、手）に付けられたり、首からぶら下げられたり、介護従事者３１や医療従事者が携帯する携帯物（例：携帯電話機、腕時計）に搭載されたりすることにより、介護従事者３１や医療従事者に携帯されるものである。図１及び２では、被検知体１５は、例えば名札型又はカード型無線ＩＣタグからなり、介護従事者３１や医療従事者の着衣の胸部に取外し可能に取り付けられている。
【００６２】
さらに、コントローラ４（コントロールボックス）には、システム１による情報検出を開始や停止させる押しボタン式の検出開始スイッチ１ａが設けられている。すなわち、システム１は、このスイッチ１ａをＯＮにすることにより、システム１による情報検出が開始され、一方、このスイッチ１ａをＯＦＦにすることにより、システム１による情報検出が終了されるものとなされている。
【００６３】
次に、本実施形態のシステム１の動作について以下に説明する。
【００６４】
図４は、システム１の動作を示すフローチャートである。
【００６５】
このフローチャートのステップＳ１では、システム１の検出開始スイッチ１ａをＯＮにすることにより、システム１による情報検出を開始する。
【００６６】
すると、一時停止手段９の一時停止スイッチ９ａが自動的にＯＦＦになって、判定手段６から異常報知手段１０への異常情報の送信が許可される（ステップＳ２）。次いで、ステップＳ３では、検知手段８が被検知体１５を検知した場合（「ＹＥＳ」の場合）、ステップＳ４へ進む。一方、検知手段８が被検知体１５を検知しない場合（「ＮＯ」の場合）、ステップＳ２へ戻る。ステップＳ４では、一時停止手段９の一時停止スイッチ９ａが自動的にＯＮになって、判定手段６から異常報知手段１０への異常情報の送信が不許可となる。
【００６７】
以上のようなフローチャートに従って動作するシステム１において、システム１の検出開始スイッチがＯＮになることでシステム１による情報検出が開始されると、情報検出手段２（即ち、各荷重検出手段３及び演算手段５）により、ベッド寝床部２１上の被験者３０の状態に関する情報を検出する［情報検出工程］。被験者３０の状態に関する情報とは、上述したように、被験者３０の体重、ベッド寝床部２１の重心位置、その重心位置の変動量、被験者３０の背上げ動作、被験者３０の端座位状態、離床準備、離床、転落予知、転落などである。
【００６８】
そして、この情報検出工程で検出された検出情報に基づいて被験者３０の状態が異常状態であるか否かを判定手段６により判定する［判定工程］。異常状態とは、上述したように、被験者３０の離床準備と離床と転落予知と転落とのうち少なくとも一つである。この判定工程で被験者３０の状態が異常状態であると判定された場合には、判定手段６から異常報知手段１０への異常情報の送信が開始される。ここで、一時停止スイッチ９ａはＯＦＦとなっているため、判定手段６から送信された異常情報は異常報知手段１０に到達する。すると、異常情報が異常報知手段１０により介護従事者３１や医療従事者（以下、単に「介護従事者３１等」という）に対して音、光、文字等で報知される。
【００６９】
異常情報が報知された介護従事者３１等は、被験者３０への介助等のために、被験者３０の所（即ちベッド寝床部２１）に向かって移動してベッド寝床部２１に接近する。そして、介護従事者３１等に予め携帯されている被検知体１５が、検知手段８が被検知体１５を検知可能な領域である、ベッド寝床部２１を含むその周囲の内側に入ってくると、検知手段８が被検知体１５を検知する［検知工程］。これにより、一時停止手段９の一時停止スイッチ９ａが自動的にＯＮになって、判定手段６から異常報知手段１０への異常情報の送信が不許可となる。その結果、異常報知手段１０の動作が一時停止される［一時停止工程］。
【００７０】
このように異常報知手段１０の動作が一時停止された状態のもとで、介護従事者３１等は、被験者３０に対して介助等の必要な処置を行う。例えば、被験者３０がトイレに行くために離床準備をしていたり離床をしていた場合には、介護従事者３１等は、被験者３０を介助してトイレに連れて行ったり、あるいは車椅子に載せる介助を行う。また、被験者３０がベッド寝床部２１から転落しそうになっている場合には、介護従事者３１等は、被験者３０が転落しないように被験者３０をベッド寝床部２１の中央位置に移動させる等の処置を行う。このとき、異常報知手段１０の動作は一時停止されているので、被験者３０に対して介護従事者３１等が介助等の処置を行っても、異常情報が異常報知手段１０により報知されることはない。そのため、被験者３０の所に既に介護従事者３１等が駆けつけているにも拘わらず別の介護従事者３１等が被験者３０の所へ駆けつける虞はない。
【００７１】
被験者３０への介助が終了したら、介護従事者３１等は、介護従事者３１等がいた元の場所（例：介護従事者３１等の詰め所、ナースステーション）に戻るためにベッド寝床部２１から離れ、介護従事者３１等に予め携帯されている被検知体１５が、ベッド寝床部２１を含むその周囲（即ち検知手段８の検知領域）の外側へ出ると、検知手段８が被検知体１５を検知しなくなる。これにより、一時停止手段９の一時停止スイッチ９ａが自動的にＯＦＦになって、判定手段６から異常報知手段１０への異常情報の送信が許可され、すなわち、異常報知手段１０の動作の一時停止が解除される［一時停止解除工程］。これにより、システム１は通常の検出モードに戻り、つまりシステム１による通常の情報検出が行われる。
【００７２】
なお、判定工程で被験者３０の状態が正常状態であると判定手段６により判定された場合には、情報検出工程で検出された検出情報が記憶手段７に記憶されたり、異常報知手段１０に隣接して配置された液晶ディスプレイ等の表示手段（図示せず）に表示される。
【００７３】
而して、本実施形態のシステム１には次の利点がある。
【００７４】
システム１では、検知手段８は、被験者３０に対する介護従事者３１等に携帯されるものであり、検知手段８は、所定の検知領域内にある場合に被検知体１５を検知するものであり、一時停止手段９は、検知手段８の検知結果に基づいて異常報知手段１０の動作を一時停止させるものである。したがって、介護従事者３１等の行動に応じて異常報知手段１０の動作を自動的に一時停止することができる。
【００７５】
さらに、一時停止手段９は、検知手段８が被検知体１５を検知した場合に、異常報知手段１０の動作を一時停止させるものであるから、異常報知手段１０の動作を確実に一時停止することができる。
【００７６】
さらに、一時停止手段９は、検知手段８が被検知体１５を検知しなくなった場合に、一時停止９が解除されるものとなされているので、異常報知手段１０の動作の一時停止を確実に解除することができる。
【００７７】
さらに、検知手段８は、ベッド寝床部２１（寝床）を含むその周囲に被検知体１５がある場合に被検知体１５を検知するものである。したがって、被検知体１５を携帯した介護従事者３１等がベッド寝床部２１を含むその周囲にいる場合、異常報知手段１０の動作を確実に一時停止させることができる。すなわち、被検知体１５を携帯した介護従事者３１等が、異常報知手段１０により異常情報を報知されて被験者３０への介助等のためにベッド寝床部２１に接近し、これにより検知手段８が被検知体１５を検知した場合には、異常報知手段１０の動作が一時停止手段９により自動的に一時停止される。そのため、介護従事者３１等が被験者３０に対して介助等の必要な処置を行った場合でも、異常報知手段１０により異常情報が報知されることはない。その結果、被験者３０の所に既に介護従事者３１等が駆けつけているにも拘わらず別の介護従事者３１等が被験者３０の所へ駆けつける虞はないという利点がある。
【００７８】
さらに、被検知体１５は無線ＩＣタグからなるので、被検知体１５を検知手段８により確実に検出することができるし、被検知体１５を安価に入手できる。
【００７９】
また本実施形態では、介護従事者３１等が夜間の定期的な見回りの際にベッド寝床部２１上の被験者３０の介助や介助等を行った場合でも、不慮に異常情報が報知されないという利点がある。
【００８０】
また、本実施形態では、システム１の動作は次のように行われても良い。
【００８１】
すなわち、介護従事者３１等が、一時停止手段９の一時停止スイッチ９ａを手動でＯＦＦにすることにより、異常報知手段１０の動作を一時停止させる。そして、介護従事者３１等は、被験者３０に対して介助を行う。
【００８２】
被験者３０への介助が終了したら、介護従事者３１等は、介護従事者３１等がいた元の場所に戻るためにベッド寝床部２１から離れ、介護従事者３１等に予め携帯されている被検知体１５が、ベッド寝床部２１を含むその周囲の外側へ出ると、検知手段８が被検知体１５を検知しなくなる。これにより、一時停止手段９の一時停止スイッチ９ａが自動的にＯＦＦになって、判定手段６から異常報知手段１０への異常情報の送信が許可され、すなわち、異常報知手段１０の動作の一時停止が解除される［一時停止解除工程］。これにより、システム１は通常の検出モードに戻り、つまりシステム１による通常の情報検出が行われる。
【００８３】
この場合には、介護従事者３１等の行動に応じて異常報知手段１０の動作の一時停止を自動的に解除することができる。したがって、介護従事者３１が一時停止スイッチ９ａをＯＦＦにするのを忘れた場合でも、異常報知手段１０の動作を再開させることができる。
【００８４】
さらに、一時停止手段９は、検知手段８が被検知体１５を検知しない場合に、一時停止が解除されるものとなされているので、異常報知手段１０の動作の一時停止を確実に解除することができる。
【００８５】
以上で本発明の一実施形態について説明したが、本発明は上記実施形態に示したものであることに限定されるものではなく、様々に変更可能である。
【００８６】
例えば、上記実施形態では、寝床は、ベッド寝床部２１であるが、本発明では、その他に例えば、敷き布団が敷かれる床面や畳面等であっても良い。
【００８７】
また、本発明では、寝床上の被験者の状態に関する情報を検出する情報検出手段は、被験者の生体情報を検出する生体情報検出手段であっても良い。この場合、生体情報検出手段は、寝床上における被験者の下側に敷かれるパネル型センサやシート型センサを備えていたり、その他のセンサや演算手段を備えていることが望ましい。
【００８８】
また、本発明に係るシステムは、被験者に対して介助を行うことの他に、看護、診察、検査、治療等を行うために、介護従事者３１や医療従事者が寝床へ向かって移動する場合に、適用しても良い。
【産業上の利用可能性】
【００８９】
本発明は、寝床（例：ベッド寝床部）上の被験者の状態に関する情報を検出するシステム、及び該情報を検出する方法に利用可能である。
【図面の簡単な説明】
【００９０】
【図１】図１は、本発明の一実施形態に係る寝床上の被験者の情報検出システムの概略斜視図である。
【図２】図２は、同システムの概略平面図である。
【図３】図３は、同システムの構成を示すブロック図である。
【図４】図４は、同システムの動作を示すフローチャートである。
【符号の説明】
【００９１】
１：システム
２：情報検出手段
３：荷重検出手段
４：コントローラ
５：演算手段
６：判定手段
７：記憶手段
８：検知手段
９：一時停止手段
９ａ：一時停止スイッチ
１０：異常報知手段
１５：被検知体
１７：ナースコール装置
２０：ベッド
２１：寝床部（寝床）
３０：被験者
３１：介護従事者、医療従事者
【図１】
2010148700.tif 000003
【図２】
2010148700.tif 000004
【図３】
2010148700.tif 000005
【図４】
2010148700.tif 000006